(57)【要約】【課題】使用時に可動天板上に置いた化粧具等をあらためて片付けることなく、可動天板を退去させることができる鏡台の開発を技術課題とした。【解決手段】鏡本体１と、その側方に配置される側台２とを具えて成り、前記側台２は、収納部１４を有する基台部２１を有し、この基台部２１の上面を覆う可動天板２５は、その平面載置可能状態を維持したまま鏡本体１の前面に張り出すように構成されていることを特徴として成り、可動天板２５を化粧具Ａを載せたままの状態で格納状態とすることができる。【選択図】      図１
2004351089.tif 000002
【特許請求の範囲】
【請求項１】
鏡本体と、その側方に配置される側台とを具えて成り、前記側台は、収納部を有する基台部を有し、この基台部の上面を覆う可動天板は、その平面載置可能状態を維持したまま鏡本体の前面に張り出すように構成されていることを特徴とする鏡台。
【請求項２】
前記可動天板は、側台の基台部上面を覆った格納状態において、鏡板側縁とほぼ接する位置を回動支点として回動できるように側台に取り付けられていることを特徴とする請求項１記載の鏡台。
【請求項３】
前記側台には、帆立を具備していないことを特徴とする請求項１または２記載の鏡台。
【発明の詳細な説明】
【０００１】
【発明の属する技術分野】
本発明は鏡台に関するものであって、特に使用時における化粧具等の扱い勝手を向上させる構造に係るものである。
【０００２】
【発明の背景】
最近の鏡台の形態として、姿見機能をも奏するように比較的縦長の鏡板を用い、それと共に化粧具等を収納する薄幅棚状の側台を組み合わせるような形態を採ったものがある。具体的には図６にその一例を示すように、鏡本体１′と、その側方に配置される側台２′とを具え、この側台２′は収納部２３′を有する基台部２１′と、その上方に延長される上棚部２２′とを具えて成るものであり、前記上棚部２２′には、その側面に意匠効果や棚への化粧具Ａ等の安定収納のための帆立Ｈと称される側板を配している。
【０００３】
そして更に使い勝手を考慮し、前記側台２′には、基台部２１′から張り出し自在に可動天板２５′を具えるものであって、例えば図６中仮想線で示すように、下方をヒンジ２６′として自由端を倒し込むように下ろすタイプや、上方をヒンジ２６′として自由端を引き上げるタイプ等の設置構造が採られるものである。しかしながらこのような構造であると、確かに使用時には鏡板１２′正面に机状に可動天板２５′が張り出し、ここに化粧具Ａ等を置くことができて好都合であるものの、この格納方法に因み、その都度、可動天板２５′上に取り出して広げた化粧具Ａ等を別途片付けなければならない。
【０００４】
【解決を試みた技術課題】
本発明はこのような現状を考慮してなされたものであって、使用時に可動天板上に置いた化粧具等をあらためて片付けることなく、可動天板を退去させることができる鏡台の開発を技術課題としたものである。
【０００５】
【課題を解決するための手段】
すなわち請求項１記載の鏡台は、鏡本体と、その側方に配置される側台とを具えて成り、前記側台は、収納部を有する基台部を有し、この基台部の上面を覆う可動天板は、その平面載置可能状態を維持したまま鏡本体の前面に張り出すように構成されていることを特徴として成るものである。
この発明によれば、可動天板を化粧具を載せたままの状態で格納状態とすることができる。
【０００６】
また請求項２記載の鏡台は、前記要件に加え、前記可動天板は、側台の基台部上面を覆った格納状態において、鏡板側縁とほぼ接する位置を回動支点として回動できるように側台に取り付けられていることを特徴として成るものである。
この発明によれば、可動天板を、その平面状態を維持したまま鏡本体の前面に張り出すようにする構成を簡単な構成の下実現することができる。
【０００７】
更にまた請求項３記載の鏡台は、前記要件に加え、前記側台には、帆立を具備していないことを特徴として成るものである。
この発明によれば、鏡台全体をシンプルな構成とすることができ、更に可動天板の回動を妨げる要素が無くなることから、可動天板形状の設計の自由度が更に増す。
そしてこれら各請求項記載の発明の構成を手段として前記課題の解決が図られる。
【０００８】
【発明の実施の形態】
以下本発明を図示の実施の形態に基づいて具体的に説明する。
図中、符号Ｄで示すものが本発明の鏡台であって、大別すると鏡本体１と、側台２とを具えて成るものである。前記鏡本体１は、たて長箱状の棚枠部１１と、その前面の鏡板１２とを有し、前記棚枠部１１に対して前記鏡板１２が、背面側方をヒンジ１３を用いて取り付けられ、結果的に鏡板１２が開き扉状となって棚枠部１１における収納部１４内への化粧具Ａ等の収納と、その取り出しができるように構成されている。
【０００９】
そしてこのような鏡本体１に対し、その側脇部に側台２が設けられるものであり、通常は側台２と鏡本体１とは別部材として構成されるものであるが、使用者の好みや安全性等を考慮して両者を固定したうえで用いるようにする。
前記側台２は、比較的幅狭の箱状の基台部２１と、その上方の上棚部２２とが組み合わされて構成されるものであり、前記基台部２１における収納部２３を、一例として多数の引き出し状のものとする。もちろんこの収納部２３は、鏡台Ｄを用いる際のスツールや椅子等の収納を行うものとすることも、もとより差し支えない。
【００１０】
更に前記基台部２１の上面には、覆台板２４が設けられるとともに、その上面に重なるように可動天板２５が張り出し自在に設けられる。この可動天板２５は、図２に示すように一例として鏡本体１の側部前面部の側のコーナー部に近い位置で、側台２の一部である内側板２２ａにたて軸ヒンジ２６によって取り付けられ、結果的にこのたて軸ヒンジ２６を中心として平面姿勢を維持したまま回動できるように構成されている。
更にこの回動動作と、平面姿勢の維持とを確実にするために、図２に示すように可動天板２５が側台２の基台部２１上面を覆った格納状態において、可動天板２５の下面奥部寄りに係止突起２７を設け、一方、覆台板２４にはこれと係合するガイド溝２８を設けておき、前記たて軸ヒンジ２６とともに可動天板２５をいわゆる二点支持する状態としている。
【００１１】
また符号２９は化粧具Ａ等を安定的に保持するための枠線であり、前記可動天板２５の他、上棚部２２の各棚部にも配される。
なお従来のいわゆる帆立Ｈについては、可動天板２５の形状の自由度や、シンプルな意匠構成等を考慮して、これを廃しているが、このものを取り付けた形態とすることももとより可能である。
【００１２】
本発明の鏡台Ｄは上述した基本的構成を有するものであり、これを用いるには、使用者が適宜のスツール、椅子等を用いて鏡台Ｄの前に座るとともに、使用する化粧具Ａ等を収納部２３や上棚部２２から取り出し、手元に近い可動天板２５上に置く。もちろんこの際、通常はあらかじめ図３（ａ）に示すように、可動天板２５をたて軸ヒンジ２６を中心に引き出すように回動させ、鏡本体１の前面にこれが張り出してくるような状態としておくことが好ましい。もちろん図３（ｃ）に示すように可動天板２５を基台部２１側に格納した状態で、取り出した化粧具Ａを可動天板２５上に置いてから引き出すようにしてももとより差し支えない。
【００１３】
このようにして鏡台Ｄを使用した後、（適宜の化粧を済ませたあと、）可動天板２５を、たて軸ヒンジ２６を中心に、張り出し状態から格納状態に押し戻すようにすれば、可動天板２５は図３（ｂ）に示す中間状態を経て図３（ｃ）に示すように、側台２の覆台板２４に重なるように格納状態となる。
この場合であっても、可動天板２５は移動にあたってその平面姿勢を維持したままであるから、その上方に化粧具Ａを置いたままであってもその格納ができるものである。
つまり上棚部２２や収納部２３には多数の化粧具Ａ等が収容されるものであるが、日常的には、使用される化粧具Ａ等は比較的固定しており、その都度別途上棚部２２等に収納し直さなくても可動天板２５を格納できることは、極めてその使い勝手に優れるものである。
その後、使用者が鏡台Ｄを姿見として使用する場合には、可動天板２５が鏡板１２の反射面に被ってしまうことがなく、姿見としての機能が充分に発揮されることとなる。
【００１４】
【他の実施の形態】
本発明の鏡台Ｄは上述した実施の形態を基本となる実施の形態とするものであるが、本発明の技術的思想に基づいて以下に示すような実施の形態を採ることも可能である。
まず上述した基本となる実施の形態では、可動天板２５について最もシンプルな可動構造を採ったが、更に以下に示すような可動構造を採ることもできる。
【００１５】
まず図４（ａ）に示すように可動天板２５の回動支持構造をリンケージ２６Ａ状に構成し、引出し形態が単に扇形移動するものではなく、可動天板２５が一旦、前方に引き出されながら側方に張り出す形態を採ることができるものである。
【００１６】
また同様に図４（ｂ）に示すように、このような可動天板２５が一旦、前方に引き出されながら側方に張り出す動きを、係止突起２７と、それを支持するガイド溝２８の相互形状により案内することにより実施するような形態を採ることもできる。
【００１７】
更にまた図４（ｃ）に示すものは、側面形状において可動天板２５の二点支持の位置を、一方はたて軸ヒンジ２６とするとともに、他方は上棚部２２の下面に当接するような係止突起２７を設け、その先端（上端）にローラ２７ａを配することにより、二点支持状態が実現できるようにしたものである。
【００１８】
更にまた図５に示すものは、たて軸ヒンジ２６の一形態であるが、単なるダボ状のピンを覆台板２４に立設して、可動天板２５の回動が成し得るようにしたものである。もちろん適宜その上端には抜け止め構造や目隠し構造を採ることが好ましい。
【００１９】
【発明の効果】
本発明は以上述べたような構成を有するものであり、可動天板２５はその平面姿勢を維持したまま移動するので、可動天板２５を化粧具Ａ等を載せたまま格納することができる。このため特に使用時における化粧具Ａ等の扱い勝手を向上することが可能となる。
また可動天板２５が、その平面状態を維持したまま鏡本体１の前面に張り出すような構成を簡単な構成の下実現することができる。
更にまた鏡台Ｄ全体をシンプルな構成とすることができ、更に可動天板２５の回動を妨げる要素が無くなることから、可動天板２５形状の設計の自由度が更に増す。
【図面の簡単な説明】
【図１】本発明の鏡台を示す斜視図である。
【図２】同上平面図及び縦断側面図である。
【図３】可動天板の回動の様子を段階的に示す説明図である。
【図４】可動天板を二点支持する形態を示す平面図及び側面図である。
【図５】ダボ状のピンを用いたたて軸ヒンジを示す平面図及び縦断側面図である。
【図６】可動天板を具えた既存の鏡台を示す斜視図である。
【符号の説明】
Ｄ      鏡台
１      鏡本体
１１    棚枠部
１２    鏡板
１３    ヒンジ
１４    収納部
２      側台
２１    基台部
２２    上棚部
２２ａ  内側板
２３    収納部
２４    覆台板
２５    可動天板
２６    たて軸ヒンジ
２６Ａ  リンケージ
２７    係止突起
２７ａ  ローラ
２８    ガイド溝
２９    枠線
Ａ      化粧具
Ｈ      帆立
【図１】
2004351089.tif 000003
【図２】
2004351089.tif 000004
【図３】
2004351089.tif 000005
【図４】
2004351089.tif 000006
【図５】
2004351089.tif 000007
【図６】
2004351089.tif 000008